(57)【要約】【課題】ポケット部の大きさを大きくすることなく、簡単な構成でネスティング状態において上段の運搬用容器の一端部を持ち上げて、上段の運搬用容器を下段の運搬用容器から抜き取ることが可能となる。【解決手段】ネスティング積み、スタッキング積みが選択してできるようにした運搬用容器１である。側壁部３の外面部の各両端部付近の下部に突出した一対の支持脚４の互いに対向する側面と下面とのなすコーナ部分を傾斜面６とする。【選択図】　　　　図１
2004059057.tif 000002
【特許請求の範囲】
【請求項１】
上方が開口した平面視長方形状をした運搬用容器の上開口部の外周部にフランジ部を形成し、対向する側壁部の外面部の各両端部付近の下部にそれぞれ側壁部の外面より突出した支持脚を設け、フランジ部にこれと対向する側壁部に点対称に形成された支持脚をはめ込むことのできる上方及び内方に開口したポケット部を形成し、２つの運搬用容器を同一向きで積み上げた状態では下段の運搬用容器のフランジ部上に支持脚の下端部が載置され、下段の運搬用容器に対して平面視１８０°回転して上段の運搬用容器を重ねた状態では下段の運搬用容器のポケット部に上段の運搬用容器の支持脚が没入されるように構成さたものにおいて、上記対向する側壁部の外面部の各両端部付近の下部に突出した一対の支持脚の互いに対向する側面と下面とのなすコーナ部分を傾斜面として成ることを特徴とする運搬用容器。
【請求項２】
対向する長辺側の側壁部の外面部の各両端部付近の下部にそれぞれ側壁部の外面より突出した支持脚を設け、該対向する長辺側の側壁部の外面部の各両端部付近の下部に突出した一対の支持脚の互いに対向する側面と下面とのなすコーナ部分を傾斜面として成ることを特徴とする請求項１記載の運搬用容器。
【請求項３】
対向する側壁部の外面部の各両端部付近の下部に突出した一対の支持脚の下端部の両側のコーナ部分のうち互いに対向する側面と下面とのなすコーナ部分にのみ傾斜面を形成して成ることを特徴とする請求項１又は請求項２記載の運搬用容器。
【請求項４】
ネスティング状態で上段の運搬用容器の一端部を支点とし且つ他端部を上方に持ち上げながら上段の運搬用容器を回動した際に、支点側から遠い方の支持脚がポケット部から上方に抜けた以降に支点に近い方の支持脚の支点から遠い方のコーナ部分の傾斜面が支点側に近い方の下段の運搬用容器のポケット部の支点から遠い方の内側面に当接するようにネスティング状態における上段の運搬用容器の支持脚の側面と下段の運搬用容器のポケット部の内側面との間の寸法、傾斜面の形態を設定して成ることを特徴とする請求項１乃至請求項３のいずれかに記載の運搬用容器。
【発明の詳細な説明】
【０００１】
【発明の属する技術分野】
本発明は、運搬用容器、詳しくは、複数の運搬用容器を積み上げ又は重ねるに当たって、内容物を収納した状態では背を高くして積み上げるスタッキング及び内容物を収納していない状態では背を低くして重ねるネスティングができる運搬用容器に関するものである。
【０００２】
【従来の技術】
従来から複数の運搬用容器を積み重ねるに当たって、内容物を収納した状態では背を高くして積み上げるスタッキング、内容物を収納していない状態では背を低くして重ねるネスティングができる運搬用容器が知られている。
【０００３】
この運搬用容器１は、図１８に示すように上方が開口した平面視長方形状をしており、運搬用容器１の上開口部の外周部にはフランジ部２が形成してある。運搬用容器１の対向する両側壁部の外面部の各両端部付近の下部にはそれぞれ側壁部の外面より突出した支持脚４が設けてある。一方、フランジ部２にはこれと対向する側壁部に点対称に形成された支持脚４をはめ込むことのできるポケット部５が形成してある。そして、２つの運搬用容器１を同一向きで積み上げた状態では下段の運搬用容器１のフランジ部２上に支持脚４の下端部が載置され、下段の運搬用容器１に対して平面視１８０°回転して上段の運搬用容器１を重ねた状態では下段の運搬用容器１のポケット部５に上段の運搬用容器１の支持脚４が没入されるように構成されたものである。
【０００４】
上記のような構成の運搬用容器１は内容物を入れて上下に多段に積み上げる場合には、上記のように下段の運搬用容器１のフランジ部２上に支持脚４の下端部が載置されて背を高くしてスタッキング状態に積み上げるのである。
【０００５】
一方運搬用容器１に内容物を入れない空の状態で多段に積み重ねるには（つまりネスティング状態にするには）、上記のように下段の運搬用容器１に対して上段の運搬用容器１を平面視で１８０°回転して重ねることで下段の運搬用容器１のポケット部５に上段の運搬用容器１の支持脚４を没入させて背を低くして多段に重ねるものである。
【０００６】
このようなネスティング状態にある上段の運搬用容器１を一端部を支点Ａとして他端部Ｂを図１９の矢印イに示すように持ち上げて、上段の運搬用容器１を支点Ａを中心に回動しながら下段の運搬用容器１から抜き取ることが考えられる。このように、支点Ａを中心に上段の運搬用容器１を回動すると、上段の運搬用容器１の支点Ａ側に近い方の支持脚４の支点Ａよりも遠い方のコーナの角部は回転半径Ｒ１が小さいので下段の運搬用容器１の支点Ａに近いポケット部５の支点Ａから遠い方の内側面に当接し、コーナ部の角部がポケット部５の内面に強く引っ掛かって上方に引き上げられず、支点Ａに近い支持脚４が支点Ａに近い方のポケット部５から抜け出ることができなくなる。なお、上段の運搬用容器１の支点Ａより遠い方の支持脚４の支点Ａより遠い方のコーナの角部は回転半径Ｒ２が大きいのでポケット部５内における支点Ａを中心とした回動軌跡は図１９に示すようにほぼ垂直となり、したがって、支点Ａを中心とした回動により抜けやすい。
【０００７】
ところで、スタッキングの際に支持脚のがたつき防止、あるいはネスティングの際にできるだけ下段の運搬用容器１の四隅近くにおいてフランジ部２上に上段の運搬用容器１の支持脚４を載置できるようにするため、できるだけポケット部５の横幅を小さくすることが好ましいのであるが、ポケット部５の横幅を小さくすると、上段の運搬用容器１の支点Ａより遠い方の支持脚４の支点Ａより遠い方のコーナの角部がポケット部５の内面に当たった状態で、更に、上段の運搬用容器１の支点Ａ側に近い方の支持脚４の支点Ａよりも遠い方のコーナの角部が下段の運搬用容器１の支点Ａに近いポケット部５の支点Ａから遠い方の内側面に当接する場合がある。例えば、図１９のように両支持脚４が両ポケット部５の内側面に同時に当たると、上段の運搬用容器１の他端部Ｂを持って上方に持ち上げるように回動しようとしても、例え、上記のように上段の運搬用容器１の支点Ａより遠い方の支持脚４の支点Ａより遠い方のコーナの角部は回転半径Ｒ２が大きくて回動軌跡がほぼ垂直であって抜けやすいといえども、両支持脚４を同時に両ポケット部５から上方に引き上げるように移動しながら回動することはできない。したがって、このような場合には上段の運搬用容器１の他端部Ｂを持って上方に持ち上げるように回動して上段の運搬用容器１を抜き取ることは不可能である。
【０００８】
このように、従来にあってはネスティング状態にある上段の運搬用容器１の一端部Ｂを持ち上げて、上段の運搬用容器１を下段の運搬用容器１から抜き取ることが可能な場合（つまりポケット部５の横幅を必要以上に広くする場合）には、作業者が片手で上段の運搬用容器１の一端部Ｂを持ち上げて下段の運搬用容器１から取り外すことができるが、上記のように上段の運搬用容器１の支点Ａ側に近い方の支持脚４の支点Ａよりも遠い方のコーナの角部が下段の運搬用容器１の支点Ａに近いポケット部５の支点Ａから遠い方の内側面に当接して回動できないような場合や、上段の運搬用容器１の支点Ａ側に近い方の支持脚４の支点Ａよりも遠い方のコーナの角部、及び支点Ａから遠い方の支持脚４の支点Ａよりも遠い方のコーナの角部がいずれも下段の運搬用容器１の各ポケット部５の内側面に当接して可動できないような場合、作業者は両手で運搬用容器１の両端部を持って略垂直状に上段の運搬用容器１を持ち上げなければならず、作業性が悪くなるという問題がある。
【０００９】
【発明が解決しようとする課題】
本発明は上記の従来例の問題点に鑑みて発明したものであって、ポケット部の大きさ（横幅）をできるだけ狭くして、簡単な構成でネスティング状態において上段の運搬用容器の一端部を持ち上げて、上段の運搬用容器を下段の運搬用容器から抜き取ることが可能となる運搬用容器を提供することを課題とするものである。
【００１０】
【課題を解決するための手段】
上記従来例の問題点を解決して本発明の目的を達成するため、本発明の運搬用容器は、上方が開口した平面視長方形状をした運搬用容器１の上開口部の外周部にフランジ部２を形成し、対向する側壁部３の外面部の各両端部付近の下部にそれぞれ側壁部３の外面より突出した支持脚４を設け、フランジ部２にこれと対向する側壁部３に点対称に形成された支持脚４をはめ込むことのできる上方及び内方に開口したポケット部５を形成し、２つの運搬用容器１を同一向きで積み上げた状態では下段の運搬用容器１のフランジ部２上に支持脚４の下端部が載置され、下段の運搬用容器１に対して平面視１８０°回転して上段の運搬用容器１を重ねた状態では下段の運搬用容器１のポケット部５に上段の運搬用容器１の支持脚４が没入されるように構成さたものにおいて、上記対向する側壁部３の外面部の各両端部付近の下部に突出した一対の支持脚４の互いに対向する側面と下面とのなすコーナ部分を傾斜面６として成ることを特徴とするものである。しかして、ネスティング状態にある上段の運搬用容器１の一端部Ｂを持ち上げて、上段の運搬用容器１を下段の運搬用容器１から抜き取る場合には、上段の運搬用容器１を支点Ａを中心に上方に回動させることになるが、支点Ａを中心に上段の運搬用容器１を回動すると、上段の運搬用容器１の支点Ａ側に近い方の支持脚４の支点Ａよりも遠い方のコーナ部分の回転半径が小さいので下段の運搬用容器１の支点Ａに近いポケット部５の支点Ａから遠い方の内側面に当接しようとするが、本発明においては、対向する側壁部３の外面部の各両端部付近の下部に突出した一対の支持脚４の互いに対向する側面と下面とのなすコーナ部分を傾斜面６としてあるので、上段の運搬用容器１の支点Ａ側に近い方の支持脚４の支点Ａよりも遠い方のコーナ部分が傾斜面６となっていることになり、該コーナ部分が傾斜面６にガイドされてポケット部５の内側面に引っ掛かることなく回動できて上段の運搬用容器１を下段の運搬用容器１から容易に抜き取ることができることになる。
【００１１】
また、対向する長辺側の側壁部３の外面部の各両端部付近の下部にそれぞれ側壁部３の外面より突出した支持脚４を設け、該対向する長辺側の側壁部３の外面部の各両端部付近の下部に突出した一対の支持脚４の互いに対向する側面と下面とのなすコーナ部分を傾斜面６とすることが好ましい。このような構成とすることで、上段の運搬用容器１の長手方向の一端部Ｂ（つまり、一方の短辺側）を支点Ａを中心に上方に回動させることにより上段の運搬用容器１を下段の運搬用容器１から容易に抜き取ることができることになる。
【００１２】
また、対向する側壁部３の外面部の各両端部付近の下部に突出した一対の支持脚４の下端部の両側のコーナ部分のうち互いに対向する側面と下面とのなすコーナ部分にのみ傾斜面６を形成することが好ましい。このような構成とすることで、支持脚４の下端部の両コーナ部分のうち一方のコーナ部分にのみ傾斜面６を設けることになり、スタッキング状態において、上段の運搬用容器１の支持脚４の下面の下段の運搬用容器１のフランジ部２上への載置部分の面積をできるだけ広く取ることが可能となって、安定してスタッキング積みできるものである。
【００１３】
また、ネスティング状態で上段の運搬用容器１の一端部を支点Ａとし且つ他端部Ｂを上方に持ち上げながら上段の運搬用容器１を回動した際に、支点Ａ側から遠い方の支持脚４がポケット部５から上方に抜けた以降に支点Ａに近い方の支持脚４の支点Ａから遠い方のコーナ部分の傾斜面６が支点Ａ側に近い方の下段の運搬用容器１のポケット部５の支点Ａから遠い方の内側面に当接するようにネスティング状態における上段の運搬用容器１の支持脚４の側面と下段の運搬用容器１のポケット部５の内側面との間の寸法、傾斜面６の形態を設定することが好ましい。このような構成とすることで、支点Ａに近い方の支持脚４の傾斜面６がポケット部５の内側面に当接すると共に同時に支点Ａから遠い方の支持脚４の支点Ａから遠い方のコーナ部分がポケット部５の内側面に当接するということが回避でき、これにより支点Ａに近い方の支持脚４の傾斜面６がポケット部５の内側面に当接した時点で上段の運搬用容器１の他端部Ｂを上方に持ち上げながら回動することで、傾斜面６がポケット部５の内側面に摺れながら傾斜面６がガイドとなって支点Ａに近い方の支持脚４を上方に引き上げながら上段の運搬用容器１を回動して支点Ａに近い方の支持脚４を抜き取ることができるものである。
【００１４】
【発明の実施の形態】
以下本発明を添付図面に示す実施形態に基づいて詳述する。
【００１５】
図１、図２、図３、図４、図５、図６、図７にそれぞれ本発明の全体を示す斜視図、正面図、背面図、平面図、底面図、右側面図、左側面図を示している。運搬用容器１は上方が開口していて上開口部の開口縁に外側方に向けてフランジ部２が形成してある。
【００１６】
運搬用容器１の長辺側の側壁部３のうち一方の長辺側の側壁部３ａの外面部の両側付近の下部にはそれぞれ支持脚４が突出して形成されている。ここで、両側の支持脚４のうち一方の支持脚４ａは他方の支持脚４ｂよりも幅が狭くなっている。
【００１７】
また、長辺側の他方の側壁部３ｂの上部には平面視で運搬用容器１の中心点Ｏ（図５、図６に示す）を中心として支持脚４ａ、４ｂと点対象の位置にそれぞれ支持脚４ａ、４ｂを嵌入することのできる上方及び内方に開口したポケット部５（支持脚４ａを嵌入することができるポケット部５ａと支持脚４ｂを嵌入することができるポケット部５ｂ）が各々形成してある。
【００１８】
同様に、長辺側の他方の側壁部３ｂの両側付近の下部にはそれぞれ支持脚４ａ、４ｂが形成してあり、また、長辺側の一方の側壁部３ａの上部には該支持脚４ａ、４ｂが嵌入することのできるポケット部５ａ、５ｂが運搬用容器１の中心点Ｏを中心として支持脚４ａ、４ｂと点対象の位置に各々形成してある。
【００１９】
また、短辺側の側壁部３のうち一方の短辺側の側壁部３ｃの外面部の両側付近の下部にはそれぞれ支持脚４ｃ、４ｃが突出して形成されている。
【００２０】
また、短辺側の他方の側壁部３ｄの上部には平面視で運搬用容器１の中心点Ｏを中心として支持脚４ｃ、４ｃと点対象の位置にそれぞれ支持脚４ｃ、４ｃが嵌入することのできるポケット部５ｃ、５ｃが各々形成してある。
【００２１】
同様に、短辺側の他方の側壁部３ｄの両側付近の下部にはそれぞれ支持脚４ｄ、４ｄが形成してあり、また、短辺側の一方の側壁３ａの上部には該支持脚４ｄ、４ｄが嵌入することのできるポケット部５ｄ、５ｄが平面視で運搬用容器１の中心点Ｏを中心として点対象の位置に各々形成してある。
【００２２】
ここで、支持脚４ｃ、４ｃ間の距離は支持脚４ｄ、４ｄ間の距離と異なる距離に設定してある。
【００２３】
なお、上記各ポケット部５（５ａ、５ｂ、５ｃ、５ｄ）はいずれも上方においてはフランジ部２に開口している。
【００２４】
ここで、本発明においては、対向する側壁部３（添付図面に示す実施形態では対向する長辺側の側壁部３ａ、３ｂ）の外面部の各両端部付近の下部に突出した一対の支持脚４の互いに対向する側面と下面とのなすコーナ部分を傾斜面６としてある（つまり、支持脚４の下端部の運搬用容器１中央よりのコーナ部分を傾斜面６としてある）。
【００２５】
傾斜面６としては図１乃至図３に示すように湾曲した傾斜面６であっても、図１７に示すように平面状をした傾斜面６であってもよい。
【００２６】
上記のような構成の運搬用容器１は合成樹脂により一体に形成してあり、この運搬用容器１は例えば下段の運搬用容器１の上開口に上段の運搬用容器１の底部を嵌め込むと共に下段の運搬用容器１の上端のフランジ部２に上段の運搬用容器１の支持脚４（４ａ、４ｂ、４ｃ、４ｄ）を載置して図１０、図１１のように背を高くして積み上げる（いわゆるスタッキングという）ことができ、内部に収納物を収納した状態で運搬用容器１を上下に積み重ねることができるものである。このスタッキング積み状態では下段の運搬用容器１の上に上段の運搬用容器１を同一向きの姿勢で積み重ねるものである。
【００２７】
一方、上段の運搬用容器１を平面視で１８０°回転した状態で下段の運搬用容器１内に上段の運搬用容器１を嵌め込み、上段の運搬用容器１の支持脚４ａ、４ｂ、４ａ、４ｂ及び支持脚４ｃ、４ｃ、４ｄ、４ｄをそれぞれ下段の運搬用容器１のポケット部５ａ、５ｂ、５ａ、５ｂ及びポケット部５ｃ、５ｃ、５ｄ、５ｄに嵌め込み、上段の運搬用容器１のポケット部５を下段の運搬用容器１のフランジ部２の上面に載置し、これにより図１２、図１３、図１４のように背を低くして積み重ね（いわゆるネスティングという）て嵩張らないようにすることができる。このように、空の運搬用容器１をネスティング積みすることで、コンパクトに積み重ねた状態で多数の運搬用容器１を運搬したり、あるいは保管しておくことができる。図１４に示すネスティング状態において、下段の運搬用容器１のポケット部５の両内側面とこれに嵌め込まれている支持脚４の両側面との間の隙間が同じ寸法となるように設定してある。
【００２８】
このようなネスティング状態において、上段の運搬用容器１を下段の運搬用容器１から抜き取るに当たっては、上段の運搬用容器１の対向する両端部を両手で掴んで上段の運搬用容器１をほぼ垂直に持ち上げることで抜き取ることができるのはもちろんであるが、本発明においては、図１５のように、上段の運搬用容器１の一端部Ｂを持ち上げて、上段の運搬用容器１を支点Ａを中心に上方に回動させることで、上段の運搬用容器１を下段の運搬用容器１から抜き取ることが可能となるものであり、この場合には上段の運搬用容器１の一端部Ｂを片手で持ち上げて支点Ａを中心に上方に回動させることで抜き取ることが可能となるものである。
【００２９】
すなわち、上段の運搬用容器１の長辺と平行な方向の一端部を支点Ａとして長辺と平行な方向の他端部Ｂ（図１５においては右側の短辺部）を矢印イのように片手で持ち上げて支点Ａ（図１５においては支点Ａは、上段の運搬用容器１の左に位置する短辺側のポケット部５ｄの下端外側コーナ部が支点Ａとなる）を中心に上方に回動すると、上段の運搬用容器１の支点Ａ側に近い方の支持脚４の支点Ａよりも遠い方のコーナの角部は回転半径が小さいので下段の運搬用容器１の支点Ａに近いポケット部５の支点Ａから遠い方の内側面に当接しやすいが、本発明においては、この上段の運搬用容器１の支点Ａ側に近い方の支持脚４の支点Ａよりも遠い方のコーナ部分（つまり、一対の支持脚４の互いに対向する側面と下面とのなすコーナ部分）が傾斜面６となっているので、図１５に示すように、他端部Ｂを更に図１５の矢印イのように持ち上げながら回動すると支点Ａに近い方の支持脚４の傾斜面６が支点Ａに近い方のポケット部５の支点Ａから遠い方の内側面に当接した状態で該傾斜面６がガイドとなって該支点Ａに近い方の支持脚４が矢印ロのように上方に引き上げられながら回動しつつ（この場合支点Ａであった上段の運搬用容器１の一端部は上方に浮き上がる）ポケット部５から上方に引き抜かれるものである。
【００３０】
一方、上段の運搬用容器１の支点Ａより遠い方の支持脚４の支点Ａより遠い方のコーナの角部は回転半径が大きいのでポケット部５内における支点Ａを中心とする回動軌跡はほぼ垂直であって、上記支点Ａを中心とする回動で抜けることができる。
【００３１】
ここで、添付図面に示す実施形態では、ネスティング状態で上段の運搬用容器１の一端部を支点Ａとし且つ他端部Ｂを上方に持ち上げながら上段の運搬用容器１を回動した際に、支点Ａ側から遠い方の支持脚４がポケット部５から上方に抜けた以降に支点Ａに近い方の支持脚４の支点Ａから遠い方のコーナ部分の傾斜面６が支点Ａ側に近い方の下段の運搬用容器１のポケット部５の支点Ａから遠い方の内側面に当接するようにネスティング状態における上段の運搬用容器１の支持脚４の側面と下段の運搬用容器１のポケット部５の内側面との間の寸法、傾斜面６の形態を設定してある。このようにすると、支点Ａに近い方の支持脚４の傾斜面６がポケット部５の内側面に当接すると共に同時に支点Ａから遠い方の支持脚４の支点Ａから遠い方のコーナ部分がポケット部５の内側面に当接するということが回避でき、これにより例え支点Ａから遠い方の支持脚４の支点Ａから遠い方のコーナ部分がポケット部５の内面に当接したとしても、この場合は支点Ａから近い方の支持脚４の支点Ａから遠い方のコーナ部分がポケット部５の内面に当接しておらず、したがって、支点Ａから遠い方の支持脚４は支点Ａを中心とした回動によりほぼ垂直方向に引き上げられてポケット部５から引き抜かれ、このように支点Ａから遠い方の支持脚４がポケット部５から引き抜かれた時点で支点Ａに近い方の支持脚４の傾斜面６がポケット部５の内側面に当接することになり、これにより上段の運搬用容器１の他端部Ｂを上方に持ち上げながら回動することで、傾斜面６がポケット部５の内側面に摺れながら傾斜面６がガイドとなって抵抗を少なくしつつ支点Ａに近い方の支持脚４を上方に引き上げながら上段の運搬用容器１を回動して支点Ａに近い方の支持脚４をよりいっそう容易に抜き取ることができるものである。
【００３２】
この場合、ネスティング状態で上段の運搬用容器１の一端部を支点Ａとし且つ他端部Ｂを上方に持ち上げながら上段の運搬用容器１を回動した際に、支点Ａ側から遠い方の支持脚４がポケット部５から上方に抜けた時点で支点Ａ側の支持脚４に近い方の支持脚４のコーナ部分の傾斜面６が支点Ａ側に近い方の下段の運搬用容器１のポケット部５の支点Ａから遠い方の内側面に当接するようにしてあると、ポケット部５の横幅寸法をできるだけ短くできることになる。
【００３３】
また、図１６のように上段の運搬用容器１の長辺と平行な方向の他端部Ｂ’（図１６においては左側の短辺部）を片手で持ち上げて支点Ａ’（図１６においては支点Ａ’は、上段の運搬用容器１の右に位置する短辺側のポケット部５ｃの下端外側コーナ部が支点Ａ’となる）を中心に上方に回動した場合は上記の場合と左右逆となるだけで、同様にして上段の運搬用容器１の支点Ａ’側に近い方の支持脚４の支点Ａ’よりも遠い方のコーナ部分（つまり、一対の支持脚４の互いに対向する側面と下面とのなすコーナ部分）が傾斜面６となっているので、上記と同様の理由で上段の運搬用容器１の他端部Ｂ’を持ち上げて、上段の運搬用容器１を支点Ａ’を中心に上方に回動させるという簡単な操作で、上段の運搬用容器１を下段の運搬用容器１から抜き取ることが可能となるのである。
【００３４】
したがって、本発明においては上段の運搬用容器１の長辺と平行な方向の一端部Ｂ、他端部Ｂ’のいずれか一方（つまり両短辺のうちいずれか一方）を持ち上げて、上段の運搬用容器１を支点Ａ又はＡ’を中心に上方に回動させるという簡単な操作で、上段の運搬用容器１を下段の運搬用容器１から抜き取ることが可能となるのである。
【００３５】
上記実施形態では対向する長辺側の側壁部３ａ、３ｂの外面部の各両端部付近の下部にそれぞれ突出した一対の支持脚４ａ、４ｂの互いに対向する側面と下面とのなすコーナ部分を傾斜面６とした例を示したが、短辺側の側壁部３ｃ、３ｄの外面部の各両端部付近の下部にそれぞれ突出した一対の支持脚４ｃ、４ｃ、又は４ｄ、４ｄの互いに対向する側面と下面とのなすコーナ部分を傾斜面６としてもよいものである。また、対向する長辺側の側壁部３ａ、３ｂの外面部の各両端部付近の下部にそれぞれ突出した一対の支持脚４ａ、４ｂの互いに対向する側面と下面とのなすコーナ部分を傾斜面６とし、これに加えて更に、短辺側の側壁部３ｃ、３ｄの外面部の各両端部付近の下部にそれぞれ突出した一対の支持脚４ｃ、４ｃ、又は４ｄ、４ｄの互いに対向する側面と下面とのなすコーナ部分を傾斜面６としてもよいものである。
【００３６】
ところで、上記のように、傾斜面６は上記のように対向する側壁部３の外面部の各両端部付近の下部に突出した一対の支持脚４の下端部の両側のコーナ部分のうち互いに対向する側面と下面とのなすコーナ部分にのみ形成すれば、上段の運搬用容器１の一端部Ｂを持ち上げて、上段の運搬用容器１を支点Ａを中心に上方に回動させることができるものであり、このため、支持脚４の下端部の両コーナ部分のうち他のコーナ部分は傾斜面６とせず従来と同様に角部のままとし、傾斜面６は一方のコーナ部分にのみ形成されることになり、スタッキング状態において、上段の運搬用容器１の支持脚４の下面の下段の運搬用容器１のフランジ部２上への載置部分の面積をできるだけ広く取ることが可能となって、安定してスタッキング積みできるものである。
【００３７】
ここで、添付図面に示すように、対向する長辺側の側壁部３ａ、３ｂの外面部の各両端部付近の下部にそれぞれ突出した一対の支持脚４ａ、４ｂの互いに対向する側面と下面とのなすコーナ部分のみを傾斜面６とし、支持脚４ａ、４ｂの下端部の両コーナ部のうち他のコーナ部分は傾斜面６とせずに従来と同様に角部のままとし、更に、対向する短辺側の側壁部３ｃ、３ｄの外面部の各両端部付近の下部にそれぞれ突出した一対の支持脚４ｃ、４ｃ、４ｄ、４ｄの各下端部の両コーナ部をいずれも傾斜面６とせずに従来と同様に角部のままとすると、上段の運搬用容器１の長辺と平行な端部を持って回動しながら抜き取ることができる構成であるにもかかわらず、スタッキング状態において、上段の運搬用容器１の支持脚４の下面の下段の運搬用容器１のフランジ部２上への載置部分の面積をできるだけ広く取ることが可能となって、より安定してスタッキング積みできるものである。
【００３８】
【発明の効果】
本発明にあっては、上記のように、ネスティング積み、スタッキング積みが選択してできるようにした運搬用容器において、対向する側壁部の外面部の各両端部付近の下部に突出した一対の支持脚の互いに対向する側面と下面とのなすコーナ部分を傾斜面としてあるので、ネスティング状態にある上段の運搬用容器の一端部を持ち上げて、上段の運搬用容器を下段の運搬用容器から抜き取る場合に、上段の運搬用容器を支点を中心に上方に回動させる際、上段の運搬用容器の支点側に近い方の支持脚の支点よりも遠い方のコーナ部分が傾斜面となっていることにより、該コーナ部分が傾斜面にガイドされてポケット部の内側面に引っ掛かることなく回動できて上段の運搬用容器を下段の運搬用容器から容易に抜き取ることができることになり、このように、対向する側壁部の外面部の各両端部付近の下部に突出した一対の支持脚の互いに対向する側面と下面とのなすコーナ部分を傾斜面にするという簡単な構成でネスティング状態にある上段の運搬用容器の一端部を持ち上げて、上段の運搬用容器を下段の運搬用容器から抜き取ることができるので、従来のように必要以上にポケット部を大きく形成する必要がないものである。
【００３９】
また、請求項２記載の発明にあっては、上記請求項１記載の発明の効果に加えて、対向する長辺側の側壁部の外面部の各両端部付近の下部にそれぞれ側壁部の外面より突出した支持脚を設け、該対向する長辺側の側壁部の外面部の各両端部付近の下部に突出した一対の支持脚の互いに対向する側面と下面とのなすコーナ部分を傾斜面としてあるので、上段の運搬用容器の長手方向の一端部（つまり、一方の短辺側）を支点を中心に上方に回動させることにより上段の運搬用容器を下段の運搬用容器から容易に抜き取ることができるものである。
【００４０】
また、請求項３記載の発明にあっては、上記請求項１又は請求項２記載の発明の効果に加えて、対向する側壁部の外面部の各両端部付近の下部に突出した一対の支持脚の下端部の両側のコーナ部分のうち互いに対向する側面と下面とのなすコーナ部分にのみ傾斜面を形成してあるので、支持脚の下端部の両コーナ部分のうち一方のコーナ部分にのみ傾斜面が設けられることになり、スタッキング状態において、上段の運搬用容器の支持脚の下面の下段の運搬用容器のフランジ部上への載置部分の面積をできるだけ広く取ることが可能となって、安定してスタッキング積みできるものである。
【００４１】
また、請求項４記載の発明にあっては、上記請求項１乃至請求項３のいずれかに記載の発明の効果に加えて、ネスティング状態で上段の運搬用容器の一端部を支点とし且つ他端部を上方に持ち上げながら上段の運搬用容器を回動した際に、支点側から遠い方の支持脚がポケット部から上方に抜けた以降に支点に近い方の支持脚の支点から遠い方のコーナ部分の傾斜面が支点側に近い方の下段の運搬用容器のポケット部の支点から遠い方の内側面に当接するようにネスティング状態における上段の運搬用容器の支持脚の側面と下段の運搬用容器のポケット部の内側面との間の寸法、傾斜面の形態を設定してあるので、支点に近い方の支持脚の傾斜面がポケット部の内側面に当接すると共に同時に支点から遠い方の支持脚の支点から遠い方のコーナ部分がポケット部の内側面に当接するということが回避でき、これにより支点に近い方の支持脚の傾斜面がポケット部の内側面に当接した時点で上段の運搬用容器の他端部を上方に持ち上げながら回動することで、傾斜面がポケット部の内側面に摺れながら傾斜面がガイドとなって支点に近い方の支持脚を上方に引き上げながら上段の運搬用容器を回動して支点に近い方の支持脚をよりいっそう容易に抜き取ることができるものである。
【図面の簡単な説明】
【図１】本発明の運搬用容器の斜視図である。
【図２】同上の正面図である。
【図３】同上の背面図である。
【図４】同上の平面図である。
【図５】同上の底面図である。
【図６】同上の右側面図である。
【図７】同上の左側面図である。
【図８】同上の側面断面図である。
【図９】同上の正面断面図である。
【図１０】同上の運搬用容器をスタッキングした状態の正面図である。
【図１１】同上のスタッキングした部分の拡大断面図である。
【図１２】同上の運搬用容器をネスティングした状態の正面図である。
【図１３】同上のネスティングした部分の側面断面図である。
【図１４】同上のネスティングした部分の正面断面図である。
【図１５】同上のネスティング状態で上段の運搬用容器の一端部を持ち上げて上段の運搬用容器を回動しながら抜き取る動作を示す説明図である。
【図１６】同上のネスティング状態で上段の運搬用容器の他端部を持ち上げて上段の運搬用容器を回動しながら抜き取る動作を示す説明図である。
【図１７】本発明の運搬用容器の他の実施形態の正面図である。
【図１８】従来例の運搬用容器の斜視図である。
【図１９】従来例においてネスティング状態で上段の運搬用容器の一端部を持ち上げて上段の運搬用容器を回動する場合の問題点を示す説明図である。
【符号の説明】
１　運搬用容器
２　フランジ部
３　側壁部
４　支持脚
５　ポケット部
６　傾斜面
【図１】
2004059057.tif 000003
【図２】
2004059057.tif 000004
【図３】
2004059057.tif 000005
【図４】
2004059057.tif 000006
【図５】
2004059057.tif 000007
【図６】
2004059057.tif 000008
【図７】
2004059057.tif 000009
【図８】
2004059057.tif 000010
【図９】
2004059057.tif 000011
【図１０】
2004059057.tif 000012
【図１１】
2004059057.tif 000013
【図１２】
2004059057.tif 000014
【図１３】
2004059057.tif 000015
【図１４】
2004059057.tif 000016
【図１５】
2004059057.tif 000017
【図１６】
2004059057.tif 000018
【図１７】
2004059057.tif 000019
【図１８】
2004059057.tif 000020
【図１９】
2004059057.tif 000021